(57)【要約】  本発明は、通信端末装置（１）に対して到来した呼のシグナリング方法、通信端末装置（１）ならびにネットワークユニット（１５）に関する。この場合、通信端末装置（１）に到来した呼のシグナリングは、到来した呼の緊急性に依存して発せられる。本発明によれば、通信端末装置（１）に到来した呼とともに伝送される緊急度値が閾値を超えているときだけ、到来した呼のシグナリングが引き起こされる。
2005509374.tif 000002
【特許請求の範囲】
【請求項１】
通信端末装置（１）に対して到来した呼のシグナリング方法において、
到来した呼とともに伝送された緊急度値がまえもって与えられた閾値を超えているときのみ、到来した呼のシグナリングを通信端末装置（１）において生じさせることを特徴とするシグナリング方法。
【請求項２】
前記まえもって与えられた閾値を通信端末装置（１）の入力ユニット（５）において入力する、請求項１記載の方法。
【請求項３】
前記緊急度値を発呼側の加入者（１０）において入力する、請求項１または２記載の方法。
【請求項４】
前記緊急度値を選択された呼出番号に付加する、請求項３記載の方法。
【請求項５】
前記緊急度値を通信ネットワーク（２０）のネットワークユニット（１５）において閾値と比較し、前記緊急度値が該閾値を超えているときのみ、前記通信端末装置（１）に対して到来した呼をネットワークユニット（１５）から通信端末装置（１）へ転送する、請求項１から４のいずれか１項記載の方法。
【請求項６】
前記緊急度値を通信端末装置（１）において閾値と比較し、前記緊急度値が該閾値を超えているときのみ、到来した呼のシグナリングを通信端末装置（１）において生じさせる、請求項１から４のいずれか１項記載の方法。
【請求項７】
緊急度値が閾値以下であるときのみ、閾値に関する通知を発呼側の加入者（１０）へ伝送する、請求項１から６のいずれか１項記載の方法。
【請求項８】
通信端末装置（１）のダイアリングに応答して、発呼側の加入者（１０）へ閾値に関する通知を伝送する、請求項１から６のいずれか１項記載の方法。
【請求項９】
緊急度値が閾値以下であるとき、到来した呼を呼出リスト（２５，３０）に格納する、請求項１から８のいずれか１項記載の方法。
【請求項１０】
緊急度値が閾値以下であれば、到来した呼を呼出応答器（３５，４０）へ転送する、請求項１から９のいずれか１項記載の方法。
【請求項１１】
発呼側の加入者（１０）の呼出番号がまえもって定められている呼出番号と一致したときのみ、到来した呼のシグナリングを通信端末装置（１）において生じさせる、請求項１から１０のいずれか１項記載の方法。
【請求項１２】
到来した呼をシグナリングするシグナリング装置（６０）を備えた通信端末装置（１）において、
まえもって与えられた閾値が格納されている第１の記憶装置（４５）と、到来した呼とともに受け取った緊急度値を検出する第１の検出装置（５０）と、検出された緊急度値をまえもって与えられた閾値と比較する第１の比較装置（５５）が設けられており、
前記シグナリング装置（６０）は、到来した呼とともに受け取った緊急度値が閾値を超えているときのみ、通信端末装置（１）に到来した呼をシグナリングすることを特徴とする通信端末装置。
【請求項１３】
少なくとも１つのエントリをもつ第１の呼出番号記憶装置（６５）と、到来した呼とともに受け取った発呼側加入者（１０）の呼出番号を検出する第２の検出装置（７０）と、検出された呼出番号を前記第１の呼出番号記憶装置（６５）の少なくとも１つのエントリと比較する第２の比較装置（７５）が設けられており、
前記シグナリング装置（６０）は、受信され検出された発呼側加入者（１０）の呼出番号が前記第１の呼出番号記憶装置（６５）のエントリと一致しているときのみ、通信端末装置（１）に到来した呼をシグナリングする、
請求項１２記載の通信端末装置。
【請求項１４】
第１の送信装置（８０）が設けられており、該第１の送信装置（８０）は到来した呼に対する応答として、妨害閾値に関する通知を発呼側加入者（１０）へ送信する、請求項１２または１３記載の通信端末装置。
【請求項１５】
前記第１の送信装置（８０）は、緊急度値が妨害閾値以下であるときのみ、妨害閾値に関する通知を発呼側加入者（１０）へ送信する、請求項１４記載の通信端末装置。
【請求項１６】
第１の呼出リスト（２５）が設けられており、緊急度値が妨害閾値以下のとき、到来した呼が該呼出リスト（２５）に格納される、請求項１２から１５のいずれか１項記載の通信端末装置。
【請求項１７】
第１の呼出応答器（３５）が設けられており、緊急度値が妨害閾値以下のとき、該第１の呼出応答器（３５）は到来した呼出に応じる、請求項１２から１６のいずれか１項記載の通信端末装置。
【請求項１８】
入力ユニット（５）が設けられており、該入力ユニット（５）を介して閾値および／または緊急度値がまえもって設定される、請求項１２から１７のいずれか１項記載の通信端末装置。
【請求項１９】
到来した呼を選択された通信端末装置（１）へ転送するための装置（８５）を備えた通信ネットワーク（２０）のネットワークユニット（１５）において、
まえもって与えられた閾値が格納されている第２の記憶装置（９０）と、到来した呼とともに受け取った緊急度値を検出する第３の検出装置（９５）と、検出された緊急度値を前記まえもって与えられた閾値と比較する第３の比較装置（１００）が設けられており、到来した呼を転送するための前記装置（８５）は、緊急度値が閾値を超えているときのみ、到来した呼を選択された通信端末装置（１）へ転送することを特徴とするネットワークユニット。
【請求項２０】
少なくとも１つのエントリをもつ第２の呼出番号記憶装置（１０５）と、到来した呼とともに受け取った発呼側加入者（１０）の呼出番号を検出する第４の検出装置（１１０）と、検出された呼出番号を前記第２の呼出番号記憶装置（１０５）の少なくとも１つのエントリと比較する第４の比較装置（１１５）が設けられており、
到来した呼を転送するための前記装置（８５）は、受信され検出された発呼側加入者（１０）の呼出番号が前記第２の呼出番号記憶装置（１０５）のエントリと一致しているときのみ、到来した呼を選択された通信端末装置（１）へ転送する、
請求項１９記載のネットワークユニット。
【請求項２１】
第２の送信装置（１２０）が設けられており、該第２の送信装置（１２０）は到来した呼に対する応答として、妨害閾値に関する通知を発呼側加入者（１０）へ送信する、請求項１９または２０記載のネットワークユニット。
【請求項２２】
前記第２の送信装置（１２０）は、緊急度値が妨害閾値以下のときのみ、妨害閾値に関する通知を発呼側加入者（１０）へ送信する、請求項２１記載のネットワークユニット。
【請求項２３】
第２の呼出リスト（３０）が設けられており、緊急度値が妨害閾値以下であるとき、到来した呼が該第２の呼出リスト（３０）に格納される、請求項１９から２２のいずれか１項記載のネットワークユニット。
【請求項２４】
第２の呼出応答器（４０）が設けられており、緊急度値が妨害閾値以下であるとき、該呼出応答器が到来した呼に応じる、請求項１９から２３のいずれか１項記載のネットワークユニット。
【請求項２５】
抽出装置（１２５）が設けられており、該抽出装置（１２５）は発呼側加入者（１０）から受け取った番号列から通信端末装置（１）の呼出番号と緊急度値とを抽出する、請求項１９から２４のいずれか１項記載のネットワークユニット。
【発明の詳細な説明】
【技術分野】
【０００１】
従来の技術
本発明は、独立請求項の上位概念に記載の通信端末装置に対して到来した呼をシグナリングする方法、通信端末装置ならびにネットワークユニットに関する。
【０００２】
通信端末装置に対して到来した呼をシグナリングする方法はすでに知られている。また、到来した呼をシグナリングするシグナリング装置を備えた通信端末装置もすでに知られている。さらに、到来した呼を選択された通信端末装置へ転送する装置が設けられている通信ネットワークのネットワークユニットもすでに知られている。
【０００３】
発明の利点
これに対し、独立請求項記載の特徴を備えた通信端末装置に対して到来した呼をシグナリングする本発明による方法、本発明による通信端末装置ならびに本発明によるネットワークユニットのもつ利点とは、到来した呼とともに伝送される緊急度値が所定の閾値を超えているときのみ、到来した呼のシグナリングが通信端末装置において発せられることである。このようにすることで保証できるのは、到来した呼がその緊急度に依存してシグナリングされることである。したがって通信端末装置のユーザは、シグナリングが邪魔に感じる状況において殊に、あまり重要でない呼び出しを防いでおくことができる。
【０００４】
従属請求項に記載の構成により、独立請求項記載の通信端末装置に対し到来する呼のシグナリング方法、通信端末装置ならびにネットワークユニットの有利な実施形態を実現させることができる。
【０００５】
殊に有利であるのは、まえもって与えられた閾値を通信端末装置の入力ユニットに入力することである。このようにすることで通信端末装置のユーザ自身が閾値をまえもって与えることができ、それを個々の状況における妨害感度に合わせて整合させることができる。
【０００６】
殊に有利な結果が得られるのは、緊急度値が発呼側加入者のところで入力されることである。このようにすることで発呼側加入者自身が、通信端末装置のユーザと連絡をとることが発呼側加入者にとってどの程度需要であるのかを決めることができる。緊急度値を選択された呼出番号に付加するようにすれば、この種の緊急度値の入力ならびに伝送のための格別簡単な構成が得られる。
【０００７】
また、緊急度値を通信ネットワークのネットワークユニットにおいて閾値と比較し、緊急度値が閾値を超えているときのみ、通信端末装置に対して到来する呼をネットワークユニットから通信端末装置へ転送すると、さらに別の利点が得られる。このようにすれば、緊急度に依存するシグナリング抑圧を実現するための付加的な手間が通信端末装置自体においては不要となり、その結果、通信端末装置の製造のために余分なコストがかからないようになる。
【０００８】
これに対して緊急度値を通信端末装置において閾値と比較し、緊急度値が閾値を超えているときのみ、通信端末装置に到来する呼のシグナリングを生じさせるようにした場合には、緊急度に依存するシグナリングの抑圧を通信ネットワークもしくは通信ネットワークのネットワークユニットから十分に独立させて実現することができる。
【０００９】
さらに別の利点が得られるのは、緊急度値が閾値以下であるときのみ、閾値に関する通知を発呼側加入者に伝送することである。このようにすれば発呼側加入者に対し、どのようにすれば緊急度値の適切な選択により通信端末装置のユーザに電話連絡できるかを通知することができる。したがって発呼側の加入者は、自身の呼び出しにより通信端末装置のユーザを妨害することになるのか否かを判定することができる。その際に発呼側加入者は、自身の呼び出しの重要性に依存してこの判定を下すことができる。
【００１０】
格別有利であるのは、通信端末装置のダイアリングに応答して発呼側加入者に対し閾値に関する通知を伝送することである。このようにすれば発呼側加入者に対し、緊急度値をまだセットする前に閾値に関して通知することができ、通信端末装置のユーザを妨害するリスクを低減することができる。
【００１１】
さらに有利であるのは、緊急度値が閾値以下であるとき、到来した呼を呼出リストに格納することである。このようにすれば通信端末装置のユーザは、自身のシグナリングが通信端末装置においてセットされた閾値に基づき抑圧されたときでも、到来した呼について通知されるようになる。
【００１２】
この利点は、緊急度値が閾値以下であるとき、到来する呼を呼出応答器へ転送するようにしても達成できる。これによって付加的に得られる利点とは、発呼側加入者が通信端末装置のユーザに対するメッセージを残すことができることであり、したがって場合によっては通信端末装置のユーザが折り返し電話をしなくて済むようになることである。
【００１３】
さらに、発呼側加入者の呼出番号がまえもって与えられた呼出番号と一致しているときのみ、到来した呼のシグナリングを通信端末装置において生じさせるようにすると、別の利点が得られる。これによって確実に行えるようになるのは、選び出された発呼側加入者だけからしか通信端末装置のユーザに電話連絡できないことである。不快な発呼側から到来する呼をこのようにして抑圧することができる。
【００１４】
格別有利であるのは、通信端末装置に入力ユニットを設け、その入力ユニットを介して閾値および／または緊急度値をまえもって与えることができることである。このようにすれば通信端末装置のユーザは、通信端末装置に到来する呼による妨害に対する望ましい保護に応じて閾値を適切に設定できる。また、発呼側加入者は、自身の呼び出しの重要性に応じて緊急度値を相応に設定することができる。
【００１５】
さらに有利であるのは、ネットワークユニットが抽出装置を有しており、この抽出装置は発呼側加入者から受け取った番号列から通信端末装置の呼出番号を抽出する。このようにすれば発呼側加入者は、通信端末装置をダイアリングする際に緊急度値を手軽にその呼出番号に付加できるようになる。
【００１６】
図面
次に、図面を参照しながら本発明の実施例について詳しく説明する。
【００１７】
図１は本発明の第１の実施形態を示すブロック図であり、図２は本発明の第２の実施形態を示すブロック図であり、図３は本発明による方法を示すフローチャートである。
【００１８】
実施例の説明
図１には参照符号１として通信端末装置が示されている。これをたとえば移動電話機、コードレス電話機あるいはコード接続型電話機とすることができる。この通信端末装置１は第１の入力ユニット５を有しており、これはたとえば英数字のテンキーとして構成することができる。入力ユニット５には第１の記憶装置４５と第１の呼出番号記憶装置６５が接続されている。第１の記憶装置４５には第１の比較装置５５が接続されており、これは他方では第１の検出装置５０と接続されている。第１の呼出番号記憶装置６５には第２の比較装置７５が接続されており、これは他方では第２の検出装置７０と接続されている。第１の検出装置５０および第２の検出装置７０は通信ネットワーク２０とコード接続されているかまたはエアインタフェースを介して接続されており、通信ネットワーク２０から信号を受信する。第１の比較装置５５と第２の比較装置７５は第１のＡＮＤゲート１３０と接続されている。第１のＡＮＤゲート１３０の第１の出力側１６０はシグナリング装置６０と接続されている。ＡＮＤゲート１３０の第２の出力側１６５はスイッチ１４０を介して選択的に、第１の呼出リスト２５または第１の呼出応答器３５または第１の送信装置８０と接続可能である。この場合、第１のスイッチ１４０を、これら３つのコンポーネント２５，３５，８０のうちただ１つのコンポーネントだけを第１のＡＮＤゲート１３０の第２の出力側１６５と接続するよう構成することができる。これに加えて、第１のスイッチ１４０がこれらのコンポーネント２５，３５，８０のうち２つのコンポーネントあるいは３つのコンポーネント２５，３５，８０のすべてを同時に第１のＡＮＤゲート１３０の第２の出力側１６５と接続するよう構成することができる。送信装置８０もはやり通信ネットワーク２０とコード接続されているかまたはエアインタフェースを介して接続されている。さらに図１には参照符号１０として、発呼加入者が第２の通信端末装置１８０とともに描かれている。この場合、第２の通信端末装置１８０もはやり移動電話機、コードレス電話機あるいはコード接続型電話機として構成することができ、第２の入力ユニット１５０を有している。第２の入力ユニット１５０もたとえば英数字のテンキーとして構成することができる。なお、図１には本発明の理解に必要な構成要素だけしか描かれていない。
【００１９】
第１の通信端末装置１には第２の検出装置７０、第２の比較装置７５ならびに第１の呼出番号記憶装置６５がオプションとして設けられている。発呼側の加入者１０が、第２の入力ユニット１５０において第１の通信端末装置１の呼出番号をダイアリングすることにより第２の通信端末装置１８０から呼を発するとき、発呼側の加入者１０は入力ユニット１５０を介して緊急度値もセットすることができ、この値は発せされた呼とともに通信ネットワーク２０へ伝送される。この場合、緊急度値をたとえば呼出番号の直後に数字として選択することができ、つまりこの数字を０〜９までの整数とすることができる。必要に応じて値の範囲をもっと大きく拡げてもよく、その場合にはそれに応じて第２の入力ユニット１５０において呼出番号直後に緊急度値に対して２つ以上の数字を入力する必要がある。この緊急度値は通信ネットワーク２０により呼出要求とともに第１の通信端末装置１へ伝送される。第１の検出装置５０はその際、到来した呼から緊急度値を検出する。第１の記憶装置４５には所定の閾値が格納されており、これはたとえば第１の通信端末装置１のユーザが第１の入力ユニット５によって入力しておくこともできるし、あるいはまえもって固定的に定めておいてもよい。ついで第１の比較装置５５は、受信した緊急度値が所定の閾値よりも大きいか否かをチェックする。所定の閾値よりも大きいのであれば、第１のＡＮＤゲート１３０の第１の入力側１８０がセットされる。この場合、第１のＡＮＤゲート１３０の第２の入力側１８５をまえもって固定的にやはりセット状態にしておくことができる。そのようにセットされている場合、ＡＮＤゲート１３０の第１の出力側１６０も同様にセットされ、到来した呼を第１の通信端末装置１において聴覚的および／または視覚的にシグナリングすることがシグナリング装置６０に指示される。第１のＡＮＤゲート１３０の第２の出力側１６５はこの場合にはセットされておらず、したがって第１の呼出リスト２５も第１の呼出応答器３５または第１の送信装置８０もスイッチオンされない。
【００２０】
第１の比較装置５５による比較の結果、緊急度が所定の閾値以下であったならば、第１のＡＮＤゲート１３０の第１の入力側１８０はリセットされる。これにより第１のマン度ゲート１３０の第１の出力側１６０もリセットされ、到来した呼をシグナリングせず、したがって第１の通信端末装置１のユーザを到来した呼によって妨害しないようシグナリング装置６０に指示が出される。これと同時に第１のＡＮＤゲート１３０の第２の出力側ｍ１６５がセットされる。これにより第１のスイッチ１４０を介して、第１の呼出リスト２５および／または第１の呼出応答器３５および／または第１の送信装置８０がアクティブ状態にされる。その際、第１の呼出応答器３５と第１の呼出リスト２５もやはり通信ネットワーク２０に接続される。第１の呼出リスト２５が第１のＡＮＤゲート１３０の第２の出力側１６５のセットによりアクティブ状態にされると、この第１の呼出リスト２５は、第２の通信端末装置１８０の呼出番号が到来した呼とともに第１の通信端末装置１へ伝送されていたならばそれを記憶し、そのようにすることで後から折り返し呼び出せるようになる。第１の呼出応答器３５が第１のＡＮＤゲート１３０の第２の出力側１６５のセットによりアクティブ状態にされると、第１の呼出応答器３５は到来した呼に応対して発呼側加入者１０がメッセージを記録できるようにし、通信端末装置１のユーザはたとえばあとからそれを聞くことができる。第１の送信装置８０が第１のＡＮＤゲート１３０の第２の出力側１６５のセットによりアクティブ状態にされると、第１の送信装置８０は第１の記憶装置４５内に格納されている所定の閾値を通信ネットワーク２０を介して第２の通信端末装置１８０へ送信する。このため第１の送信装置８０は第１の記憶装置４５と接続されている。したがって第２の通信端末装置１８０における発呼側の加入者１０はたとえば図１には示されていない再生装置を介して、まえもって設定されている閾値を把握することができ、それによって第１の通信端末装置１において自身の呼のシグナリングを到達させるためにはどの緊急度をセットしなければならないのかを知ることができる。
【００２１】
付加的に第２の検出装置７０と第２の比較装置７５と第１の呼出番号記憶装置６５が設けられているならば、付加的に以下の機能を実現することができる。発行側の加入者１０から到来する呼とともに、第２の通信端末装置１８０の呼出番号も通信ネットワーク２０を介して第１の通信端末装置１に伝送されるならば、第２の検出装置７０によってこの呼出番号を検出することができる。第１の通信端末装置１のユーザは入力ユニット５を介して、少なくとも発呼側加入者の呼出番号を第１の呼出番号記憶装置６５に記憶させることができる。ついで第２の比較装置７５によって、第２の検出装置７０により検出された発呼側加入者１０の呼出番号が第１の呼出番号記憶装置６５に格納されている呼出番号と比較される。これらが一致しているならば、つまり第２の検出装置７０により検出された発呼側加入者１０の呼出番号が第１の呼出番号記憶装置６５に格納されているならば、第１のＡＮＤゲートの第２の入力側がセットされる。このようにすれば、検出された緊急度値が所定の閾値を超えており、かつ検出された発呼側加入者１０の呼出番号が第１の呼出番号記憶装置６５に格納されている場合、到来した呼がシグナリング装置６０によりシグナリングされるようになる。これら両方の条件が満たされないならば、既述のように第１の呼出応答器３５および／または第１の呼出リスト２５および／または第１の送信装置８０がアクティブ状態にされシグナリング装置６０が非アクティブ状態にされ、それによって到来した呼のシグナリングは第１の通信端末装置１においては抑圧される。その際、第２の検出装置７０により検出された発呼側加入者１０の呼出番号が第１の呼出番号記憶装置６５に格納されていなければ、第１のＡＮＤゲート１３０の第２の入力側１８５がリセットされる。このように第１の呼出番号記憶装置６５に格納されている呼出番号は、肯定のＶＩＰリストを成している。これに対する代案として、第１の呼出番号記憶装置６５を否定のＶＩＰリストとして実現し、そこには到来した呼をシグナリングすべきでない発呼側加入者の１つまたは複数の呼出番号だけを入力ユニット５を介して格納するように構成することもできる。この事例では、第１のＡＮＤゲート１３０の第２の入力側１８５が第２の比較装置７５によってセットされるのは、第２の検出装置７５により検出された呼出番号が第１の呼出番号記憶装置６５に格納されていないときである。これとは逆に、第１のＡＮＤゲート１３０の第２の入力側１８５が第２の比較装置７５によりリセットされるのは、第２の検出装置７０により検出された発呼側加入者１０の呼出番号が第１の呼出番号記憶装置６５に格納されているときである。
【００２２】
発呼側加入者１０が第１の通信端末装置１の選択にあたり緊急度値を入力しない場合にも、第１の検出装置５０は緊急度値を検出することはできず、第１の比較装置５５は第１のＡＮＤゲート１３０の第１の入力側１８０をリセットし、その結果、第１の通信端末装置１におけるシグナリングは抑圧されることになる。第１の送信装置８０が第１のスイッチ１４０を介して第１のＡＮＤゲート１３０における第２の出力側１６５のセットによりアクティブ状態にされると、まえもって定められた閾値は通信ネットワーク２０を介して既述のように発呼側の加入者１０へ送信される。このようすることで発呼側の加入者１０は第１の通信端末装置１においてまえもって定められている閾値を第１の通信端末装置１の発呼により問い合わせることができ、この場合、その発呼によって第１の通信端末装置１にシグナリングを引き起こして第１の通信端末装置１のユーザの邪魔をするおそれなく問い合わせを行える。
【００２３】
第１の通信端末装置１のユーザが通信ネットワーク２０への呼を中断させたいとき、やはり入力ユニット５における相応の入力によって緊急度値をセットするように構成することができ、その際にこの緊急度値は図１には示されていないやり方で、通信ネットワーク２０へ発せられた最初の呼とともに伝送される。
【００２４】
図２には本発明の第２の実施形態が示されており、ここでは図１と同じ構成要素には同じ参照符号が付されている。この場合、第１の通信端末装置１は第１の入力ユニット５を有している。発呼側の加入者１０の第２の通信端末装置１８０は第２の入力ユニット１５０を有している。第１の通信端末装置１と第２の通信端末装置１８０は通信ネットワーク２０を介して互いに接続されており、その際、通信ネットワーク２０のネットワークユニット１５を介して接続が行われる。ここでは通信ネットワーク２０を移動無線ネットワークとしてもよい固定回線網としてもよい。さらにこの場合、第１の通信端末装置１を移動電話機とし通信ネットワーク２０を移動無線ネットワークとする一方、第２の通信端末装置１８０をコード接続型電話機とし、図２に示されていない固定回線網を介して通信ネットワーク２０とつなげられているよう構成することも可能である。これとは逆に第１の通信端末装置１をコード接続型通信端末装置とし、通信ネットワーク２０を固定回線網とし、第２の通信端末装置１８０を移動電話機として、この移動電話機が図２には示されていない移動無線ネットワークを介して通信ネットワーク２０と接続されているように構成してもよい。さらにこれに対する代案として、第１の通信端末装置１も第２の通信端末装置１８０もそれぞれ移動電話機とし、通信端末ネットワーク２０を移動無線ネットワークとして構成することもできる。さらに択一的に、第１の通信端末装置１も第２の通信端末装置１８０もコード接続型電話機とし、通信ネットワーク２０を固定回線網として構成することができる。
【００２５】
ネットワークユニット１５は、発呼側加入者１０から到来する呼を受信するため第３の検出装置９５を有している。第３の検出装置９５は、到来する呼とともに伝送される緊急度値を抽出するための抽出装置１２５を有している。第３の検出装置９５には第３の比較装置１００が接続されている。第３の比較装置１００は他方では第２の記憶装置９０と接続されている。さらに第３の比較装置１００は第２のＡＮＤゲート１３５の第１の入力側１９０とも接続されている。第２のＡＮＤゲート１３５の第２の入力側１９５を持続的にセットしておいてもよいし、あるいはオプションとして図２に示されているように第４の比較装置１１５と接続してもよい。図２に示されているようにネットワークユニット１５内に第４の比較装置１１５が設けられている場合、この比較装置は一方では第４の検出装置１１０と接続されており、他方では第２の呼出番号記憶装置１０５と接続されている。第４の検出装置１１０もやはり発呼側の加入者１０から到来する呼を検出する。第２のＡＮＤゲート１３５の第１の出力側１７０は、発呼側加入者１０から到来する呼を転送するための装置と接続されている。この場合、転送のためのこの装置８５は発呼側加入者１０から到来する呼を発呼側加入者１０により選ばれた通信端末装置へ転送するために用いられ、図２による実施例では選ばれた通信端末装置は第１の通信端末装置１である。第２のＡＮＤゲート１３５の第２の出力側１７５は第２のスイッチ１４５を介して、第２の呼出リスト３０および／または第２の呼出応答器４０および／または第２の送信装置１２０と接続可能である。第２の送信装置１２０は第２の記憶装置９０と接続されている。第２の呼出リスト３０と第２の呼出応答器４０は、到来する呼の受信分岐と接続されている。第２の送信装置１２０は、発呼側加入者この実施例では発呼側加入者１０へ情報を送信するために設けられている。ネットワークユニット１５はさらに選択ユニット１５５を有しており、これによって発呼側の加入者は、図２の実施例では第２の通信端末装置１８０は、第１の通信端末装置１が第２の記憶装置９０をアドレッシングするのか第２の呼出番号記憶装置１０５内の記憶場所をアドレッシングするのかに応じて、所定の閾値を第２の記憶装置９０へ書き込むかまたは１つまたは複数の呼出番号を第２の呼出番号記憶装置１０５へ書き込むことができる。第２の呼出番号記憶装置１０５が設けられていないならば選択ユニット１５５は不要である。そのようなケースでは、第２の記憶装置９０を第１の通信端末装置１によってじかにアクセスできる。
【００２６】
図２による第２の実施例の場合のネットワークユニットにおける本発明の機能は、図１に示した第１の実施例による第１の通信端末装置１における既述の本発明の機能に相応する。この場合、第３の検出装置９５の機能は第１の検出装置５０の機能に対応するけれども、その際の相違点として挙げられるのは、第１の検出装置５０は通信ネットワーク２０から緊急度値をじかに受信するのに対し、第３の検出装置９５は緊急度値を、発呼側の加入者１０から伝送された第１の通信端末装置１の呼出番号と緊急度値から成る数字の列を、抽出装置１２５によって抽出しなければならないことである。さらに第３の比較装置１００の機能は第１の比較装置５５の機能に相応し、第２の記憶装置９０の機能は第１の記憶装置４５の機能に相応する。また、第４の検出装置１１０の機能は第２の検出装置７０の機能に相応する。第４の比較装置１１５の機能は第２の比較装置７５の機能に相応する。さらに、第２の呼出番号記憶装置１０５の機能は第１の呼出番号記憶装置６５の機能に相応する。
【００２７】
ただし第２の記憶装置９０への所定の閾値の入力は、第１の入力ユニット５によってじかには行われない。そうではなくこの場合には第１の入力ユニット５を介してネットワークユニット１５を選択し、所望の閾値を入力する必要があり、この場合にはその閾値が通信端末装置１からネットワークユニット１５へ伝送され、そこにおいて第２の記憶装置９０に格納される。それに応じて呼出番号の設定ならびに第２の呼出番号記憶装置１０５における記憶が行われる。ネットワークユニット１５に第２の記憶装置９０も第２の呼出番号記憶装置１０５も設けられているならば入力ユニット５において、記憶すべき値を第２の記憶装置９０に格納すべきであるのか、つまり所定の閾値であるのか、あるいは第２の呼出番号記憶装置１０５に格納すべきであるのか、つまり呼出番号であるのか、も入力する必要がある。１つの数字または慣用の呼出番号の数字の個数と区別される数字の個数をもつ閾値だけしか設定できないケースであっても、選択ユニット５５は受信した値の数字の個数に基づき、それが閾値であるのか呼出番号であるのかを判定することができ、第１の通信端末装置１から受け取った値をそれに応じて第２の記憶装置９０または第２の呼出番号記憶装置１０５に格納することができる。
【００２８】
さらに第２のＡＮＤゲート１３５の機能は第１のＡＮＤゲート１３０の機能に相応する。第２のスイッチ１４５の機能は第１のスイッチ１４０の機能に相応する。第２の呼出リスト３０の機能は第１の呼出リスト２５の機能に相応する。第２の送信装置１２０の機能は第１の送信装置８０の機能に相応する。図１に示した最初の実施例とは異なり第２のＡＮＤゲート１３５の第１の出力側１７０はシグナリング装置とではなく、到来する呼を転送するための装置８５と接続されている。第２のＡＮＤゲート１３５の第１の出力側１７０がセットされているならば、つまり発呼側の加入者１０から受け取った緊急度値が第２の記憶装置９０に格納されている所定の閾値を超えており、第２の呼出番号記憶装置１０５に肯定のＶＩＰリストが格納されている場合には発呼側加入者１０の呼出番号がそこに記憶されているならば、到来した呼を転送する装置８５が指示されて、発呼側加入者１０から到来した呼が第１の通信端末装置１に転送され、そこにおいて慣用のように到来した呼のシグナリングが行われる。ネットワークユニット１５において呼出番号比較が行われないケースでは、第２のＡＮＤゲート１３５の第２の入力側１９５が持続的にセットされる。検出された緊急度値が所定の閾値以下であれば、第２のＡＮＤゲート１３５の第１の出力側１７０がリセットされ、到来する呼を転送する装置８５はアクティブにはされず、つまり発呼側加入者１０から到来する呼は装置８５によっても第１の通信端末装置１には転送されず、その結果、第１の通信端末装置１においてもシグナリングは発生しない。図２に示されているように、第４の比較装置１１５によって呼出番号比較も実施される場合、第２の呼出番号記憶装置１０５に肯定のＶＩＰリストが格納されていて発呼側加入者１０の呼出番号がそこに記憶されていないときにも、第２のＡＮＤゲート１３５における第１の出力側１７０のリセットが行われる。この場合も、発呼側加入者１０から到来する呼が装置８５によって転送されるのが阻止され、第１の通信端末装置１においてシグナリングが行われない。第２の呼出番号記憶装置１０５が否定のＶＩＰリストとして実現されている場合、相応に第１の呼出番号記憶装置６５について説明したことがあてはまる。
【００２９】
図２に示されている第２の入力ユニット１５０を備えた第２の通信端末装置１８０の機能は、図１に示した実施例を参照しながらすでに説明した機能に相応する。第２のＡＮＤゲート１３５の第１の入力側１９０の機能は、第１のＡＮＤゲート１３０の第１の入力側１８０の機能に相応する。第２のＡＮＤゲート１３５の第２の入力側１９５の機能は、第１のＡＮＤゲート１３５の第２の入力側１８５の機能に相応する。第２のＡＮＤゲート１３５の第１の出力側１７０の機能は、第１のＡＮＤゲート１３０の第１の出力側１６０の機能に相応する。第２のＡＮＤゲート１３５の第２の出力側１７５の機能は、第１のＡＮＤゲート１３０の第２の出力側１６５の機能に相応する。
【００３０】
既述の２つの実施形態に対する代案を成す実施形態において、呼出リスト２５，３０および／または呼出応答器３５，４０および／または送信装置８０，１２０を設けないように構成することができる。
【００３１】
図３には、本発明による方法の流れがフローチャートとして示されている。このフローチャートは、図１に示した第１の実施形態にも図２に示した第２の実施形態にもあてはまる。プログラムポイント２００において、第１の通信端末装置１もしくはネットワークユニット１５により第１の検出装置５０もしくは第３の検出装置９５において、到来する呼が検出される。ついでプログラムポイント２０５に進む。プログラムポイント２０５において第１の検出装置５０もしくは第３の検出装置９５は、到来する呼とともに緊急度値が伝送されたか否かがチェックされる。緊急度値が伝送されていたならばプログラムポイント２１０へ進み、そうでなければプログラムポイント２４０へ進む。プログラムポイント２１０において第１の比較装置５５もしくは第３の比較装置１００は、検出された緊急度値を第１の記憶装置４５もしくは第２の記憶装置９０に格納されている所定の閾値と比較する。ついでプログラムポイント２１５に分岐する。プログラムポイント２１５において第１の比較装置５５もしくは第３の比較装置１００は、検出された緊急度値が所定の閾値を超えているか否かをチェックする。超えているならばプログラムポイント２２０へ進み、そうでなければプログラムポイント２４５へ進む。プログラムポイント２２０において、この方法の流れをコントロールする第１の通信端末装置１もしくはネットワークユニット１５の制御装置（見やすくするため図面には示さず）は、第１の呼出番号記憶装置６５もしくは第２の呼出番号記憶装置１０５が設けられているか否かをチェックする。設けられているならばプログラムポイント２２５へ分岐し、そうでなければプログラムポイント２３５へ分岐する。この場合、個々の制御装置は第１の通信端末装置１のすべてのコンポーネントと、もしくはネットワークユニット１５のすべてのコンポーネントと接続されている。
【００３２】
プログラムポイント２２５において第２の比較装置７５もしくは第４の比較装置１１５は、到来する呼とともに伝送された発呼側加入者１０の呼出番号を、第１の呼出番号記憶装置６５もしくは第２の呼出番号記憶装置１０５のエントリと比較する。ついでプログラムポイント２３０に進む。以下では一例として、第１の呼出番号記憶装置６５もしくは第２の呼出番号記憶装置１０５は肯定のＶＩＰリストとして構成されているものとする。したがってプログラムポイント２３０において第２の比較装置７５もしくは第４の比較装置１１５により、発呼側加入者１０の受け取った呼出番号が第１の呼出番号記憶装置６５もしくは第２の呼出番号記憶装置１０５に格納されているかがチェックされる。格納されているならばプログラムポイント２３５へ進み、そうでなければプログラムポイント２５０へ進む。プログラムポイント２３５において、図１に示した第１の実施例の場合には第１のＡＮＤゲート１３０の第１の出力側１６０がセットされ、到来する呼をシグナリングするためのシグナリング装置６０が第１の通信端末装置１においてアクティブ状態にされる。図２に示した第２の実施例の場合も同様に第２のＡＮＤゲート１３５の第１の出力側１７０がセットされ、それにより到来する呼を転送するための装置８５が指示されて、発呼側加入者１０の到来する呼が第１の通信端末装置１へ転送される。その後、プログラムが終了する。
【００３３】
プログラムポイント２４０において、図１による第１の実施例では第１のＡＮＤゲート１３０の第１の入力側１８０がリセットされ、ひいては第１のＡＮＤゲート１３０の第１の出力側１６０もリセットされ、第１の通信端末装置１において到来する呼のシグナリングが阻止される。これと同時に第１のＡＮＤゲート１３０における第２の出力側１６５がセットされ、第１のスイッチ１４０を介して第１の送信装置８０がアクティブにされ、所定の閾値が通信ネットワーク２０を介して発呼側加入者１０へ送信されるよう指示される。
【００３４】
相応に図２による第２の実施例の場合には第２の送信装置１２０が指示されて所定の閾値が発呼側加入者１０へ伝送され、発呼側加入者１０の到来する呼を第１の通信端末装置１へ転送させないよう装置８５が指示される。その後、プログラムは終了する。
【００３５】
プログラムポイント２４５において、図１に示した第１の実施例の場合にはＡＮＤゲート１３０の第１の入力側１８０がリセットされ、ひいては第１のＡＮＤゲートの１３０の第１の出力側１６０もリセットされ、第１の通信端末装置１におけるシグナリングが阻止される。同時に第１のＡＮＤゲート１３０の第２の出力側１６５がセットされ、第１の呼出リスト２５および／または第１の呼出応答器３５および／または第１の送信装置８０が既述のようにアクティブ状態にされる。相応に図２に示されている第２の実施例の場合には第２の呼出リスト３０および／または第２の呼出応答器４０および／または第２の送信装置１２０がアクティブにされ、発呼側加入者１０から到来する呼を第１の通信端末装置１へ転送しないよう、到来する呼を転送するための装置が指示される。その後、プログラムが終了する。
【００３６】
プログラムポイント２５０において、図１に示した第１の実施例の場合には第１のＡＮＤゲート１３０の第２の入力側１８５がリセットされ、つまりは第１のゲート１３０の第１の出力側１６０もリセットされ、第１の通信端末装置１において到来する呼のシグナリングが阻止される。これと同時に第１のＡＮＤゲート１３０の第２の出力側１６５がセットされ、第１のスイッチ１４０を介して第１の呼出リスト２５および／または第１の呼出応答器３５が既述のようにアクティブにされる。相応に図２による第２の実施例の場合、第２の呼出リスト３０および／または第２の呼出応答器４０が既述のようにアクティブにされ、発呼側加入者１０から到来する呼を第１の通信端末装置１へ転送しないよう、到来する呼を転送するための装置８５が指示される。その後、プログラムが終了する。
【００３７】
図１に示した第１の実施例であれば第１の呼出番号記憶装置６５と第２の比較装置７５と第２の検出装置７０が設けられている場合、もしくは図２に示した第２の実施例であれば第２の呼出番号記憶装置１０５と第４の比較装置１１５と第４の検出装置１１０が設けられている場合、第１の通信端末装置１のユーザは入力ユニット５において第１の呼出番号記憶装置６５もしくは第２の呼出番号記憶装置１０５を非アクティブ状態にすることができ、このことは図１による第１の実施例の場合にはダイレクトに行われ、図２による第２の実施例の場合には第１の通信端末装置１とネットワークユニット１５との間の通信コネクションを介して行われる。このケースでは、図１による第１の実施例の場合には第１のＡＮＤゲート１３０の第２の入力側１８５が持続的にセットされ、図２による第２の実施例の場合には第２のＡＮＤゲート１３５の第２の入力側１９５が持続的にセットされる。これにより第１の通信端末装置１のユーザに対し、設けられている呼出番号記憶装置を到来する呼のシグナリングをブロックするためには使用しないようにする可能性が与えられる。
【００３８】
図２に示した第２の実施例によるネットワークユニット１５は通常、被呼側の加入者である第１の通信端末装置１だけに割り当てられているわけではないため、第２の記憶装置９０に複数の通信端末装置の閾値を格納しておくことができる。同様に、第２の呼出番号記憶装置１０５に複数の通信端末装置のＶＩＰリストを格納しておくことができる。そのような場合には第３の比較装置１００は、到来する呼とともに発呼側加入者１０から伝送された選択された加入者端末装置の呼出番号に基づき、その通信端末装置に割り当てられた閾値を第２の記憶装置９０から求めて、第３の検出装置９５において検出された緊急度値と比較する必要がある。この目的で閾値を第２の記憶装置９０において、個々の通信端末装置の呼出番号に対応させて格納しておくことができる。同様のことは第２の呼出番号記憶装置１０５に格納されたＶＩＰリストについてもあてはまり、これらもやはり対応する通信端末装置の呼出番号にそれぞれ割り当てられる。ついで第４の比較装置１１５は、到来する呼とともに受け取った発呼側加入者１０の呼出番号をそれ相応に第２の呼出番号記憶装置１０５内のＶＩＰリストの各エントリと比較する。それらのエントリは発呼側加入者１０から呼び出された通信端末装置の呼出番号に割り当てられている。
【００３９】
第１の通信端末装置１のユーザは第１の入力ユニット５を介して、たとえば０〜９というような閾値をまえもって設定することができる。第１の通信端末装置１が移動電話機として構成されており第１の通信端末装置１のユーザが自身の部署に座っているならば、そのユーザは閾値を低くセットすることができ、たとえば３をセットすることができる。ユーザが会議中であるならばそのユーザは閾値を高くセットすることができ、たとえば６または８にセットすることができる。つまり自身の部署にいる方が会議中よりも容易にユーザと連絡を取れることになる。これとは逆に発呼側加入者１０は、自身にとって呼び出しがどの程度重要であるかを決めることができる。セキセイインコが死んだことを発呼側加入者が伝えたいとき、その加入者は第２の入力ユニット１５０において低い緊急度値を選択し、たとえば１を選択する。発呼側加入者が緊急ニュースをもっているならば、その加入者は高い緊急度値たとえば９を選択する。
【００４０】
さらに第１の呼出番号記憶装置６５もしくは第２の呼出番号記憶装置１０５を非アクティブ状態にすることに加えて同じようなやり方で、第１の記憶装置４５もしくは第２の記憶装置９０における閾値を第１の通信端末装置１のユーザが第１の入力ユニット５を用いて非アクティブ状態にすることもできる。このケースでは、図１による第１の実施例の場合には第１のＡＮＤゲート１３０の第１の入力側１８０がセットされ、図２による第２の実施例の場合には第２のＡＮＤゲート１３５の第１の入力側１９０がセットされる。これとは逆に、たとえば図３に示されている流れを実現する目的で、第１の記憶装置４５もしくは第２の記憶装置９０および／または第１の呼出番号記憶装置６５もしくは第２の呼出番号記憶装置１０５における妨害閾値を、第１の通信端末装置１の第１の入力ユニット５における相応の入力によって再びアクティブ状態にすることができる。
【００４１】
到来する呼とともに緊急度値が伝送されなければ第１の検出装置５０もしくは第３の検出装置９５はこのことを、まえもって設定された各閾値以下の可能なかぎり小さい緊急度値が伝送されたものとして捉えることができる。
【図面の簡単な説明】
【００４２】
【図１】本発明の第１の実施形態を示すブロック図である。
【図２】本発明の第２の実施形態を示すブロック図である。
【図３】本発明による方法を示すフローチャートである。
【図１】
2005509374.tif 000003
【図２】
2005509374.tif 000004
【図３】
2005509374.tif 000005
【国際調査報告】
2005509374.tif 000006
2005509374.tif 000007
2005509374.tif 000008
2005509374.tif 000009
2005509374.tif 000010
2005509374.tif 000011